(57)【特許請求の範囲】
【請求項１】
シャシーダイナモメータに対して車を固定する車固定システムであって、
第一のロープを用いて、前記車の前方方向から、第一の張力で、前記車を固定する第一の車固定部と、
第二のロープを用いて、前記車の前方方向から、第二の張力で、前記車を固定する第二の車固定部と、
第三のロープを用いて、前記車の後方方向から、第三の張力で、前記車を固定する第三の車固定部と、
第四のロープを用いて、前記車の後方方向から、第四の張力で、前記車を固定する第四の車固定部と、
前記第一乃至四の張力を予め設定されている計算式に基づいて決定し、前記第一乃至四のロープにおける各張力が、当該決定した各値となるように、前記第一乃至四の車固定部を制御する、制御部とを備え、
前記第一の車固定部は、
前記第一のロープを巻き取ることができる第一の電動巻取り部と、
前記第一の電動巻取り部と固定端との間に配設され、前記第一のロープにかかる張力と同じ張力がかかる第一の連結部と、
前記第一の連結部に配設される、前記第一の連接部にかかる張力を測定する第一のロードセルとを、有しており、
前記第二の車固定部は、
前記第二のロープを巻き取ることができる第二の電動巻取り部と、
前記第二の電動巻取り部と固定端との間に配設され、前記第二のロープにかかる張力と同じ張力がかかる第二の連結部と、
前記第二の連結部に配設される、前記第二の連接部にかかる張力を測定する第二のロードセルとを、有しており、
前記第三の車固定部は、
前記第三のロープを巻き取ることができる第三の電動巻取り部と、
前記第三の電動巻取り部と固定端との間に配設され、前記第三のロープにかかる張力と同じ張力がかかる第三の連結部と、
前記第三の連結部に配設される、前記第三の連接部にかかる張力を測定する第三のロードセルとを、有しており、
前記第四の車固定部は、
前記第四のロープを巻き取ることができる第四の電動巻取り部と、
前記第四の電動巻取り部と固定端との間に配設され、前記第四のロープにかかる張力と同じ張力がかかる第四の連結部と、
前記第四の連結部に配設される、前記第四の連接部にかかる張力を測定する第四のロードセルとを、有しており、
前記制御部は、
前記第一乃至四のロードセルの測定値が、前記第一乃至四の張力となるように、前記第一乃至四の電動巻取り部を制御し、
前記第一の車固定部は、
前記車側から伝わる振動を前記第一のロードセルへ伝達されることを防止する第一の振動伝達防止手段を、有しており、
前記第二の車固定部は、
前記車側から伝わる振動を前記第二のロードセルへ伝達されることを防止する第二の振動伝達防止手段を、有しており、
前記第三の車固定部は、
前記車側から伝わる振動を前記第三のロードセルへ伝達されることを防止する第三の振動伝達防止手段を、有しており、
前記第四の車固定部は、
前記車側から伝わる振動を前記第四のロードセルへ伝達されることを防止する第四の振動伝達防止手段を、有している、
ことを特徴とする車固定システム。
【請求項２】
前記計算式は、
Ｔ１ｓｉｎθ１＝Ｔ２ｓｉｎθ２
Ｔ１ｃｏｓθ１＋Ｔ２ｃｏｓθ２＝Ｔ
Ｔ３ｓｉｎθ３＝Ｔ４ｓｉｎθ４
Ｔ３ｃｏｓθ３＋Ｔ４ｃｏｓθ４＝Ｔ
である、
ここで、
Ｔ１は、前記第一の張力であり、
Ｔ２は、前記第二の張力であり、
Ｔ３は、前記第三の張力であり、
Ｔ４は、前記第四の張力であり、
Ｔは、前記制御部に入力される張力値であり、
θ１は、前記車の前後方向に対する、前記第一のロープが成す第一の角度であり、
θ２は、前記車の前後方向に対する、前記第二のロープが成す第二の角度であり、
θ３は、前記車の前後方向に対する、前記第三のロープが成す第三の角度であり、
θ４は、前記車の前後方向に対する、前記第四のロープが成す第四の角度である、
ことを特徴とする請求項１に記載の車固定システム。
【請求項３】
前記第一の車固定部は、
前記第一の角度を測定する第一の角度センサーを有しており、
前記第二の車固定部は、
前記第二の角度を測定する第二の角度センサーを有しており、
前記第三の車固定部は、
前記第三の角度を測定する第三の角度センサーを有しており、
前記第四の車固定部は、
前記第四の角度を測定する第四の角度センサーを有しており、
前記制御部は、
前記第一乃至四の角度センサーの測定結果用いて、前記第一乃至四の張力を決定する、
ことを特徴とする請求項２に記載の車固定システム。
【請求項４】
前記第一の車固定部は、
前記第一のロープに接続される第一の弾性部材を有しており、
前記第二の車固定部は、
前記第二のロープに接続される第二の弾性部材を有しており、
前記第三の車固定部は、
前記第三のロープに接続される第三の弾性部材を有しており、
前記第四の車固定部は、
前記第四のロープに接続される第四の弾性部材を有している、
ことを特徴とする請求項１乃至請求項３の何れかに記載の車固定システム。
【発明の詳細な説明】
【技術分野】
【０００１】
本発明は、シャシーダイナモメータに対して車を固定する車固定システムに関するものである。
【背景技術】
【０００２】
シャシーダイナモメータは、従来より、車の走行に関する試験を行う際に用いられている。また、当該試験を行う際には、シャシーダイナモメータに対して車を固定する必要がある（たとえば、特許文献１参照）。
【０００３】
特許文献１には、車に対する試験の際に、車の前後方向からワイヤーロープを用いて、シャシーダイナモメータに対して車を固定することが開示されている。ここで、従来では、チェーブロック等を用いて、作業員が手作業でワイヤーロープを用いた上記車の固定を行っていた。
【先行技術文献】
【特許文献】
【０００４】
【特許文献１】実開昭６２−１８９６３９号公報
【発明の概要】
【発明が解決しようとする課題】
【０００５】
しかしながら、手作業で、ワイヤーロープに張力を印加し車を固定する方法では、当該ワイヤーロープに印加する張力の調整が困難である。したがって、重量等が異なる車種毎に応じて、ワイヤーロープに印加させる張力を適正に調整することができなかった。
【０００６】
また、試験が実施される車を適正に固定するためには、当該車を固定するために用いられる各ワイヤーロープに対して、適正な張力を精度良く印加させることが重要である。しかしながら、手作業の場合には、各ワイヤーロープに対して適正な張力を精度良く印加することが困難であった。
【０００７】
そこで、本発明は、車種等の変化に応じて、車を固定する際に用いられるロープに印加する張力を調整することができ、また当該ロープに対して適正な張力を精度良く印加させることが可能な、車固定システムを提供することを目的とする。
【課題を解決するための手段】
【０００８】
上記の目的を達成するために、本発明に係る車固定システムは、シャシーダイナモメータに対して車を固定する車固定システムであって、第一のロープを用いて、前記車の前方方向から、第一の張力で、前記車を固定する第一の車固定部と、第二のロープを用いて、前記車の前方方向から、第二の張力で、前記車を固定する第二の車固定部と、第三のロープを用いて、前記車の後方方向から、第三の張力で、前記車を固定する第三の車固定部と、第四のロープを用いて、前記車の後方方向から、第四の張力で、前記車を固定する第四の車固定部と、前記第一乃至四の張力を予め設定されている計算式に基づいて決定し、前記第一乃至四のロープにおける各張力が、当該決定した各値となるように、前記第一乃至四の車固定部を制御する、制御部とを備え、前記第一の車固定部は、前記第一のロープを巻き取ることができる第一の電動巻取り部と、前記第一の電動巻取り部と固定端との間に配設され、前記第一のロープにかかる張力と同じ張力がかかる第一の連結部と、前記第一の連結部に配設される、前記第一の連接部にかかる張力を測定する第一のロードセルとを、有しており、前記第二の車固定部は、前記第二のロープを巻き取ることができる第二の電動巻取り部と、前記第二の電動巻取り部と固定端との間に配設され、前記第二のロープにかかる張力と同じ張力がかかる第二の連結部と、前記第二の連結部に配設される、前記第二の連接部にかかる張力を測定する第二のロードセルとを、有しており、前記第三の車固定部は、前記第三のロープを巻き取ることができる第三の電動巻取り部と、前記第三の電動巻取り部と固定端との間に配設され、前記第三のロープにかかる張力と同じ張力がかかる第三の連結部と、前記第三の連結部に配設される、前記第三の連接部にかかる張力を測定する第三のロードセルとを、有しており、前記第四の車固定部は、前記第四のロープを巻き取ることができる第四の電動巻取り部と、前記第四の電動巻取り部と固定端との間に配設され、前記第四のロープにかかる張力と同じ張力がかかる第四の連結部と、前記第四の連結部に配設される、前記第四の連接部にかかる張力を測定する第四のロードセルとを、有しており、前記制御部は、前記第一乃至四のロードセルの測定値が、前記第一乃至四の張力となるように、前記第一乃至四の電動巻取り部を制御し、前記第一の車固定部は、前記車側から伝わる振動を前記第一のロードセルへ伝達されることを防止する第一の振動伝達防止手段を、有しており、前記第二の車固定部は、前記車側から伝わる振動を前記第二のロードセルへ伝達されることを防止する第二の振動伝達防止手段を、有しており、前記第三の車固定部は、前記車側から伝わる振動を前記第三のロードセルへ伝達されることを防止する第三の振動伝達防止手段を、有しており、前記第四の車固定部は、前記車側から伝わる振動を前記第四のロードセルへ伝達されることを防止する第四の振動伝達防止手段を、有している。
【発明の効果】
【０００９】
本発明に係る車固定システムは、シャシーダイナモメータに対して車を固定する車固定システムであって、第一のロープを用いて、前記車の前方方向から、第一の張力で、前記車を固定する第一の車固定部と、第二のロープを用いて、前記車の前方方向から、第二の張力で、前記車を固定する第二の車固定部と、第三のロープを用いて、前記車の後方方向から、第三の張力で、前記車を固定する第三の車固定部と、第四のロープを用いて、前記車の後方方向から、第四の張力で、前記車を固定する第四の車固定部と、前記第一乃至四の張力を予め設定されている計算式に基づいて決定し、前記第一乃至四のロープにおける各張力が、当該決定した各値となるように、前記第一乃至四の車固定部を制御する、制御部とを備え、前記第一の車固定部は、前記第一のロープを巻き取ることができる第一の電動巻取り部と、前記第一の電動巻取り部と固定端との間に配設され、前記第一のロープにかかる張力と同じ張力がかかる第一の連結部と、前記第一の連結部に配設される、前記第一の連接部にかかる張力を測定する第一のロードセルとを、有しており、前記第二の車固定部は、前記第二のロープを巻き取ることができる第二の電動巻取り部と、前記第二の電動巻取り部と固定端との間に配設され、前記第二のロープにかかる張力と同じ張力がかかる第二の連結部と、前記第二の連結部に配設される、前記第二の連接部にかかる張力を測定する第二のロードセルとを、有しており、前記第三の車固定部は、前記第三のロープを巻き取ることができる第三の電動巻取り部と、前記第三の電動巻取り部と固定端との間に配設され、前記第三のロープにかかる張力と同じ張力がかかる第三の連結部と、前記第三の連結部に配設される、前記第三の連接部にかかる張力を測定する第三のロードセルとを、有しており、前記第四の車固定部は、前記第四のロープを巻き取ることができる第四の電動巻取り部と、前記第四の電動巻取り部と固定端との間に配設され、前記第四のロープにかかる張力と同じ張力がかかる第四の連結部と、前記第四の連結部に配設される、前記第四の連接部にかかる張力を測定する第四のロードセルとを、有しており、前記制御部は、前記第一乃至四のロードセルの測定値が、前記第一乃至四の張力となるように、前記第一乃至四の電動巻取り部を制御し、前記第一の車固定部は、前記車側から伝わる振動を前記第一のロードセルへ伝達されることを防止する第一の振動伝達防止手段を、有しており、前記第二の車固定部は、前記車側から伝わる振動を前記第二のロードセルへ伝達されることを防止する第二の振動伝達防止手段を、有しており、前記第三の車固定部は、前記車側から伝わる振動を前記第三のロードセルへ伝達されることを防止する第三の振動伝達防止手段を、有しており、前記第四の車固定部は、前記車側から伝わる振動を前記第四のロードセルへ伝達されることを防止する第四の振動伝達防止手段を、有している。
【００１０】
したがって、試験対象の車の車種等が変化したとしても、当該変化に応じて、車を固定する際に用いられるロープに印加する張力を、車種等に応じて事前に張力Ｔを決定するだけで、自動で調整することができる。また、制御部による自動制御なので、ロープに対して適正な張力を精度良く印加させることができる。
【図面の簡単な説明】
【００１１】
【図１】実施の形態に係る車固定システムにより、車１がシャシーダイナモメータに対して固定されている様子を示す平面図である。
【図２】各車固定部２の全体構成を示す断面図である。
【図３】車１に対するロープ３の取付態様を例示する図である。
【図４】車１に対するロープ３の取付態様を例示する図である。
【図５】車１に対するロープ３の取付態様を例示する図である。
【発明を実施するための形態】
【００１２】
以下、この発明をその実施の形態を示す図面に基づいて具体的に説明する。
【００１３】
＜実施の形態＞
図１は、車１の試験が実施されるシャシーダイナモメータに対して、試験対象の車１が固定される様子を示す平面図である。つまり、図１は、本実施の形態に係る車固定システムにより、車１がシャシーダイナモメータに対して固定されている様子を、天井側（上方向）から見た図である。
【００１４】
図１に示すように、本実施の形態に係る車固定システムは、４つの車固定部２により構成されている。
【００１５】
ここで、図１には、床面より上に現れている車固定部２の構成が図示されている。図２は、各車固定部２の全構成を図示した断面図であり、図２では、床面上の車固定部２の構成および床面下の車固定部２の構成も図示されている。なお、各車固定部２の構成は全て、図２に示した物理的構成要素有し、同様に構成されている。
【００１６】
図１に示すように、第一の車固定部２および第二の車固定部２は、車１の前方側に配設されており、第三の車固定部２および第四の車固定部２は、車１の後方側に配設されている。したがって、第一の車固定部２は、構成要素である第一のロープ３を用いて、車１の前方側から車１を固定する。また、第二の車固定部２は、構成要素である第二のロープ３を用いて、車１の前方側から車１を固定する。また、第三の車固定部２は、構成要素である第三のロープ３を用いて、車１の前方側から車１を固定する。また、第四の車固定部２は、構成要素である第四のロープ３を用いて、車１の前方側から車１を固定する。
【００１７】
ここで、上記４つの車固定部２を用いて、車１の前方および後方から、当該車１を固定する場合において、各ロープ３の端部を車１の前後部に取付る態様として、図１に示す態様以外に、様々な態様を採用することができる。図３，４，５は、各ロープ３の端部を車１の前後部に取付る複数の態様のうちの幾つかの例を示した図である。
【００１８】
また、図１，２においては図示を省略しているが、本実施の形態に係る車固定システムは、制御部を有している。
【００１９】
当該制御部は、予め設定されている計算式に基づいて、第一のロープ３に印加される第一の張力Ｔ１、第二のロープ３に印加される第二の張力Ｔ２、第三のロープ３に印加される第三の張力Ｔ３、および第四のロープ３に印加される第四の張力Ｔ４を、各々決定する。
【００２０】
さらに、制御部は、第一のロープ３に第一の張力Ｔ１が印加されるように、第一の車固定部２を制御し、第二のロープ３に第二の張力Ｔ２が印加されるように、第二の車固定部２を制御し、第三のロープ３に第三の張力Ｔ３が印加されるように、第三の車固定部２を制御し、第四のロープ３に第四の張力Ｔ４が印加されるように、第四の車固定部２を制御する。
【００２１】
そして、図１に示すように、各ロープ３に対して各張力Ｔ１，Ｔ２，Ｔ３，Ｔ４が印加されている状態において、シャシーダイナモメータを用いて、車１に対する試験を実施する。
【００２２】
上記計算式とは、次の４つの式である。つまり、「Ｔ１ｓｉｎθ１＝Ｔ２ｓｉｎθ２」、「Ｔ１ｃｏｓθ１＋Ｔ２ｃｏｓθ２＝Ｔ」、「Ｔ３ｓｉｎθ３＝Ｔ４ｓｉｎθ４」、および「Ｔ３ｃｏｓθ３＋Ｔ４ｃｏｓθ４＝Ｔ」である。
【００２３】
ここで、Ｔ１は、上記第一の張力であり、Ｔ２は、上記第二の張力であり、Ｔ３は、上記第三の張力であり、Ｔ４は、上記第四の張力である。さらに、Ｔは、制御部に入力される張力値である（図１参照）。
【００２４】
当該張力値Ｔは、図１に示すように、試験中に車１に印加される前方方向の合計張力であり、同時に、試験中に車１に印加される前方方向の合計張力である。試験中において、適正に車１が固定されるように、ユーザによって適正な張力値Ｔが決定される。より具体的に、試験対象の車１の車種が変わると、当該車種（たとえば車１の重量等）に応じて、適正な張力値Ｔが試験前にユーザによって決定される。
【００２５】
また、上記計算式において、θ１は、車１の前後方向（図１の一点鎖線）に対する、第一のロープ３が成す第一の角度であり、θ２は、車１の前後方向に対する、第二のロープ３が成す第二の角度であり、θ３は、車１の前後方向に対する、第三のロープ３が成す第三の角度であり、θ４は、車１の前後方向に対する、第四のロープ３が成す第四の角度である（図１参照）。
【００２６】
次に、図２を用いて、各車固定部２の構成について説明する。ここで、図２は、各車固定部２の全体構成を示す断面図であり、４つの車固定部２は、図２で示す同じ構成を有している。したがって、各車固定部２の構成を、同じ図２を参照しながら説明する。
【００２７】
第一の車固定部２は、図２に示すように、第一のロープ３、滑車４、第一の角度センサー５、滑車６、第一の電動巻取り部７、第一の振動伝達防止手段１０、第一のロードセル１１、第一の弾性部材１２、および第一の連結部１３を有している。
【００２８】
第二の車固定部２は、図２に示すように、第二のロープ３、滑車４、第二の角度センサー５、滑車６、第二の電動巻取り部７、第二の振動伝達防止手段１０、第二のロードセル１１、第二の弾性部材１２、および第二の連結部１３を有している。
【００２９】
第三の車固定部２は、図２に示すように、第三のロープ３、滑車４、第三の角度センサー５、滑車６、第三の電動巻取り部７、第三の振動伝達防止手段１０、第三のロードセル１１、第三の弾性部材１２、および第三の連結部１３を有している。
【００３０】
そして、第四の車固定部２は、図２に示すように、第四のロープ３、滑車４、第四の角度センサー５、滑車６、第四の電動巻取り部７、第四の振動伝達防止手段１０、第四のロードセル１１、第四の弾性部材１２、および第四の連結部１３を有している。
【００３１】
なお、図２に示すように、床下面の底面に対して、支柱９および台部８が固定的に配設されている。
【００３２】
ここで、上記のように、各車固定部２は同じ構成を有している。そこで、以下では、説明簡略化のために、「第一」「第二」「第三」「第四」の用語は省略し、以下で行う車固定部２に対する構成の説明は、全車固定部２に対して適用される。
【００３３】
端部が車１に固定されたロープ１は、床上に配設された滑車４を介して、床上から床下へと配設される。また、当該ロープは、床下に配設された滑車６を介して、床下に配設されている電動巻取り部７に達する。ここで、電動巻取り部７は、電動のチェーンブロックと同様な機能を有する装置であり、ロープ３を巻取り・巻出しすることにより、ロープ３にかかる張力を調整することができる。なお、切替えスイッチにより、電動巻取り部７は、電動での巻取り・巻出し動作または手動での巻取り・巻出し動作を、選択することができる。
【００３４】
また、電動巻取り部７には、床下に存する連結部１３の一端が接続されており、当該連結部１３の他端は、支柱９に固定されている。ここで、ロープ３にかかる張力と同じ張力が、電動巻取り部７を介して、連結部１３においてもかかる。
【００３５】
また、連結部１３には、電動巻取り部７から支柱９に向かって、振動伝達防止手段１０、ロードセル１１および弾性部材１２が、当該順に配設されている。なお、ロードセル１１および弾性部材１２は、連結部１３の一部を構成するように、当該連結部１３上に配設されている。
【００３６】
ここで、振動伝達防止手段１０は、たとえばディスクブレーキなどの装置であり、ロープ１に接続されている車１が試験中に振動したとしても、当該振動伝達防止手段１０が連結部１３を把持固定等することにより、当該振動を連結部１３のロードセル１１に伝達することを防止することができる。なお、振動伝達防止手段１０により車１からの振動がロードセル１１に伝わることを防止したしても、振動伝達防止手段１０の使用前後において、連結部１３の張力（つまり、ロードセル１１の測定値）は変化しない。
【００３７】
また、ロードセル１１は、連結部１３にかかる張力を測定することができる。車１の試験中において、制御部は、ロードセル１１の測定値が、第一乃至四の張力Ｔ１，Ｔ２，Ｔ３，Ｔ４となるように、電動巻取り部７の動作を制御する。また、弾性部材１２としてはバネ等を採用できる。
【００３８】
また、図２に示すように、床下には、ロープ３が張られたときに、当該ロープ３が成す角度を計測する角度センサー５が配設されている。具体的に、角度センサー５は、平面視における、車１の前後方向に対して、床上に配設されているロープ３が成す角度を、測定する（図１のθ１，θ２，θ３，θ４参照）。制御部は、角度センサー５が測定した角度θ１，θ２，θ３，θ４を利用して、試験中に各ロープ３に印加させる第一乃至四の張力Ｔ１，Ｔ２，Ｔ３，Ｔ４を決定する。
【００３９】
なお、図面簡略化のために図示を省略しているが、車固定部２には、電動シリンダー等で駆動できる二つの移動機構が配設されている。ここで、一方の移動機構は、滑車４および角度センサー５を、支柱９および台部８に対して、図２の上下方向に移動させることができる。これに対して、他方の移動機構は、電動巻取り部７、振動伝達防止手段１０および連結部１３等を、支柱９および台部８に対して、図２の左右方向に移動させることができる。
【００４０】
次に、本実施の形態に係る車固定システムを利用した、車１の固定動作について説明する。
【００４１】
車１の試験を開始する前に、電動巻取り部７を手動動作に切替え、電動巻取り部７からロープ３を手動で巻出す。これにより、車１の前後位置に対して、各ロープ３を容易に接続することができる。
【００４２】
各ロープ３を車１に取り付けた後、手動動作また自動動作により、各ロープ３にある程度の張力がかかるまで、各ロープ３を電動巻取り部７により巻き取る。各ロープ３にある程度の張力がかかったとき、上記各角度θ１，θ２，θ３，θ４が定まる。そこで、当該角度θ１，θ２，θ３，θ４が、車１の試験終了まで変化しないように、当該角度θ１，θ２，θ３，θ４が変化するような、ロープ３の移動を抑制する。
【００４３】
次に、制御部による電動巻取り部７の制御を開始する。ここで、当該制御の開始の前に、電動巻取り部７を自動動作に切り替えておく必要がある。また、制御部には、試験対象の車の車種に応じてユーザが決定した張力Ｔが、入力されている。また、上記の通り、制御部には、４つの計算式（「Ｔ１ｓｉｎθ１＝Ｔ２ｓｉｎθ２」、「Ｔ１ｃｏｓθ１＋Ｔ２ｃｏｓθ２＝Ｔ」、「Ｔ３ｓｉｎθ３＝Ｔ４ｓｉｎθ４」、および「Ｔ３ｃｏｓθ３＋Ｔ４ｃｏｓθ４＝Ｔ」）が設定されている。制御部による電動巻取り部７の制御は、以下の通りである。
【００４４】
まず、各角度センサー５は、各角度θ１，θ２，θ３，θ４を測定する。そして、当該測定結果（第一の角度θ１、第二の角度θ２、第三の角度θ３、第四の角度θ４）を、各角度センサー５は、制御部へと送信する。
【００４５】
次に、制御部は、受信した角度センサー５の測定結果θ１，θ２，θ３，θ４、入力された張力Ｔおよび上記計算式を用いて、第一のロープ３に印加する第一の張力Ｔ１、第二のロープ３に印加する第二の張力Ｔ２、第三のロープ３に印加する第三の張力Ｔ３および、第四のロープ３に印加する第四の張力Ｔ４を、求める。
【００４６】
次に、制御部は、各ロードセル１１の測定値が、上記で求めた各張力Ｔ１，Ｔ２，Ｔ３，Ｔ４となるように、各電動巻取り部７の巻取りを制御する。ここで、各ロープ３には各弾性部材１２が接続されているので、当該巻取りにより、ロープ３に急激に張力が印加されることを防止できる。そして、各ロードセル１１の測定値が各張力Ｔ１，Ｔ２，Ｔ３，Ｔ４となった後は、制御部は、各ロードセル１１の測定値が当該各張力Ｔ１，Ｔ２，Ｔ３，Ｔ４を維持するように、各電動巻取り部７を制御する。
【００４７】
そして、各ロープ３において上記張力Ｔ１，Ｔ２，Ｔ３，Ｔ４が印加されている状態で、シャシーダイナモメータを用いた車１の試験を開始する。ここで、車１に対して各種試験が実施されているとき、車１が振動することも想定される。そこで、試験中は、振動伝達防止手段１０を用いて、連結部１３を保持・固定しておくことが望ましい。これにより、車１において振動が生じても、当該振動は各ロードセル１１側に伝わらず、各ロードセル１１の測定値を、張力Ｔ１，Ｔ２，Ｔ３，Ｔ４で維持することができる。
【００４８】
試験終了後、各ロープ３を車１から取り外すために、手動動作また自動動作により、各ロープ３を電動巻取り部７により巻き出す。
【００４９】
以上のように、本実施の形態に係る車固定システムでは、制御部は、第一乃至四の張力Ｔ１，Ｔ２，Ｔ３，Ｔ４を予め設定されている計算式に基づいて決定し、第一乃至四のロープ３における各張力が、当該決定した各値となるように、各車固定部２を制御している。具体的に、各車固定部２は、ロープ３を巻き取る電動巻取り部７、当該電動巻取り部７に接続され、ロープ３と同じ張力がかかる連結部１３と、連接部１３にかかる張力を測定するロードセル１１を、有している。そして、制御部は、各ロードセル１１の測定値が、第一乃至四の張力Ｔ１，Ｔ２，Ｔ３，Ｔ４となるように、各電動巻取り部７を制御している。
【００５０】
したがって、試験対象の車１の車種等が変化したとしても、当該変化に応じて、車１を固定する際に用いられるロープ３に印加する張力を、車種等に応じて事前に張力Ｔを決定するだけで、自動で調整することができる。また、制御部による自動制御なので、ロープ３に対して適正な張力を精度良く印加させることができる。
【００５１】
また、本実施の形態に係る車固定システムでは、各第一の車固定部２は、第一乃至四の角度θ１，θ２，θ３，θ４を測定することができる各角度センサー５を有している。そして、制御部は、各角度センサー５の測定結果用いて、第一乃至四の張力Ｔ１，Ｔ２，Ｔ３，Ｔ４を決定している。
【００５２】
したがって、自動で第一乃至四の角度θ１，θ２，θ３，θ４を検出でき、また、測定結果を自動で制御部に送ることができ、制御部に、第一乃至四の角度θ１，θ２，θ３，θ４を入力する手間を省ける。
【００５３】
また、本実施の形態に係る車固定システムでは、各車固定部２は、各ロープ３に接続される各弾性部材１２を有している。
【００５４】
したがって、各電動巻取り部７を用いてロープ３の巻取り動作を行ったとしても、ロープ３および連結部１３において、急激に張力が印加されることを防止でき、滑らかな張力印加が可能となる。
【００５５】
また、本実施の形態に係る車固定システムでは、各車固定部２は、車１側から伝わる振動をロードセル１１へ伝達されることを防止する振動伝達防止手段１０を有している。
【００５６】
したがって、振動伝達防止手段１０により連結部１３を把持・固定することにより、車１において振動が生じても、当該振動は各ロードセル１１側に伝わらず、各ロードセル１１の測定値を、各張力Ｔ１，Ｔ２，Ｔ３，Ｔ４で維持することができる。よって、当該振動により、ロードセル１１の測定値も変動（振動）し、当該変動（振動）に応じて、制御部が各電動巻取り部７の制御を調整することを防止できる。
【符号の説明】
【００５７】
１  車
２  第一乃至四の車固定部
３  第一乃至四のロープ
４  滑車
５  第一乃至四の角度センサー
６  滑車
７  第一乃至四の電動巻取り部
８  台部
９  支柱
１０  第一乃至四の振動伝達防止手段
１１  第一乃至四のロードセル
１２  第一乃至四の弾性部材
１３  第一乃至四の連結部
Ｔ１  第一の張力
Ｔ２  第二の張力
Ｔ３  第三の張力
Ｔ４  第四の張力
θ１  第一の角度
θ２  第二の角度
θ３  第三の角度
θ４  第四の角度
【図１】
0006030536.tif 000002
【図２】
0006030536.tif 000003
【図３】
0006030536.tif 000004
【図４】
0006030536.tif 000005
【図５】
0006030536.tif 000006